(57)【要約】【課題】割込印字ジョブについて、通常の印字ジョブのときと排出トレーを分けるか否かを、ユーザによって選択可能とした画像記録装置を提供する。【解決手段】実行中の印字ジョブを中断して割込印字ジョブを実行できる機能を備える画像記録装置Ｆにおいて、割込印字ジョブで画像データを記録した記録紙を排出する排出トレーを選択する選択手段９を備える。【選択図】図１
2005115046.tif 000002
【特許請求の範囲】
【請求項１】
実行中の印字ジョブを中断して割込印字ジョブを実行できる機能を備える画像記録装置において、
上記印字ジョブで印字した記録紙を排出する排出トレーを複数備えており、上記割込印字ジョブで画像データを記録した記録紙を排出する排出トレーを選択する選択手段を備える画像記録装置。
【請求項２】
請求項１において、
上記選択手段は、割込印字ジョブ毎に、上記画像データを記録した記録紙を排出する排出トレーを選択する構成とした画像記録装置。
【発明の詳細な説明】
【技術分野】
【０００１】
本発明は、実行中の印字ジョブを中断して割込印字ジョブを実行できる機能を備える画像記録装置の改良に関する。
【背景技術】
【０００２】
従来より、コピー装置などの画像記録装置が広く使用されており、例えば、下記特許文献１に示す装置によれば、印字ジョブを実行している途中でも、所定操作により割込印字ジョブの実行指令を与えれば、実行中の印字ジョブが中断され、割込印字ジョブが実行される。そして、割込印字ジョブが終了すれば、中断していた元の印字ジョブが再開される。
【特許文献１】特開平７−１８７４９０号公報
【発明の開示】
【発明が解決しようとする課題】
【０００３】
ところが、上記した従来の画像記録装置は、割込印字ジョブで記録紙が排出されるトレーが固定されているため、以下の弊害が生じるおそれがある。
すなわち、割込印字ジョブで排出するトレーだけを通常の印字ジョブとは異なるトレーに設定されると、装置を使い慣れたユーザにとっては排出されるトレーを経験的に把握しているため問題ないが、使いなれていないユーザにとっては排出されるトレーが把握しにくいというおそれがある。
また、通常の印字ジョブと同一のトレーにすると、両方のジョブによる記録紙が混在してしまうおそれがある。
本発明は、このような問題を解決するために提案されるものであり、割込印字ジョブについて、通常の印字ジョブのときと排出トレーを分けるか否かを、ユーザによって選択可能とした画像記録装置を提供することを目的としている。
【課題を解決するための手段】
【０００４】
上記目的を達成するために、本発明の請求項１では、実行中の印字ジョブを中断して割込印字ジョブを実行できる機能を備える画像記録装置において、割込印字ジョブで画像データを記録した記録紙を排出する排出トレーを選択する選択手段を備える。
【０００５】
請求項２では、選択手段は、割込印字ジョブ毎に、画像データを記録した記録紙を排出する排出トレーを選択する構成とした。
【発明の効果】
【０００６】
本発明の請求項１では、割込印字ジョブで画像データを記録した記録紙を排出する排出トレーを選択する選択手段を備えるので、割込印字ジョブについて、通常の印字ジョブのときと排出トレーを分けるか否かを、ユーザ毎にそのニーズに応じて、割込コピーの排出先を選択でき、割込コピーの排出先がわかりにくくなるといった事態を未然に防止できる。
請求項２では、選択手段は、割込印字ジョブ毎に、画像データを記録した記録紙を排出する排出トレーを選択する構成としたので、請求項１のようにどの割込コピーでも同じトレーに排出されるわけではなく、ユーザ毎、ジョブ毎にケースバイケースで排出トレーが選択でき、一層利便にできる。
【発明を実施するための最良の形態】
【０００７】
以下に、本発明の実施の形態について説明する。
【実施例１】
【０００８】
図１は、本発明の画像記録装置の要部構成の一例を示す図である。なお、ここでは、原稿読取装置の一例としてファクシミリ装置Ｆの構成を示しているが、印字ジョブを実行し、それにより画像データの記録された記録紙を排出する構成であれば何を用いてもよい。
【０００９】
このファクシミリ装置Ｆは、このファクシミリ装置Ｆを制御するＣＰＵ１と、電話回線Ｌ１に対する接続制御をするＮＣＵ２と、ファクシミリ通信のために必要な各種信号の変復調をするモデム３と、このファクシミリ装置Ｆは動作するのに必要なプログラムなどを格納するＲＯＭ４と、短縮ダイヤルなどを登録するＲＡＭ５と、セットされた原稿を読み取り画像データを形成するスキャナ６と、スキャナ６によって形成され、コーデック（不図示）により符号化した画像データを蓄積する画像メモリ７と、液晶画面などで構成した表示部８と、各種操作キーなどで構成した操作部９と、予めセットされた記録紙に、画像データを記録して排出トレーに排出するプリンタ１０と、このファクシミリ装置ＦをＬＡＮ（Ｎ２）に接続するためのＬＡＮインタフェース１１とを備える。
【００１０】
ＲＡＭ５には、図２に示すような管理テーブルＴを備えており、このテーブルＴには、通常の印字ジョブで記録紙を排出すべきトレーと、割込印字ジョブで記録紙を排出すべきトレーとを予め操作部９の操作により選択して登録されるようにしている。
【００１１】
なお、このテーブルＴの設定は、いずれの割込印字ジョブに対しても適用され、図３（ａ）の処理に用いられるが、この例には限られず、割込印字ジョブをする毎に、このテーブルＴの設定をできるようにしてもよく、こうすれば、図３（ｂ）の処理ができる。
【００１２】
次に、この装置Ｆの特徴的な処理について、図３とともに説明する（１００〜１０２）。まず図３（ａ）の処理について説明する。ここでは、割込印字ジョブの指示があれば（１００）テーブルＴを参照して、排出すべきトレーを設定し（ここでは下段）、そのジョブを実行して記録紙を当該トレーに排出する（１０１）。
【００１３】
一方、通常の印字ジョブの指示であれば、テーブルＴを参照して、排出すべきトレーを設定し（ここでは上段）、そのジョブを実行して記録紙を当該トレーに排出する（１０２）。
【００１４】
一方、図３（ｂ）の処理について説明する。
【００１５】
ここでは、割込印字ジョブの指示があれば（２００）、ユーザに対して排出トレーの選択を促す。操作部９の操作によって選択されたら（２０１）、それをＲＡＭ５のテーブルＴに設定する（２０２）。この選択は、上段、下段いずれのトレーであってもよい。そして、割込印字ジョブを実行し、設定されたトレーに記録紙を排出する（２０３）。一方、通常の印字ジョブの指示であれば、テーブルＴを参照して、排出すべきトレーを設定し（ここでは上段）、そのジョブを実行して記録紙を当該トレーに排出する（２０４）。
【産業上の利用可能性】
【００１６】
本発明装置は、オフィスなどに広く用いられるコピー機、ファクシミリ装置、デジタル複合機などに適用できる。
【図面の簡単な説明】
【００１７】
【図１】本発明の内部構成の一例を示す図である。
【図２】管理テーブルＴの構成の一例を示す図である。
【図３】本発明の基本動作の一例を説明するためのフローチャートである。
【符号の説明】
【００１８】
Ｆ・・・ファクシミリ装置
１・・・ＣＰＵ
９・・・操作部
【図１】
2005115046.tif 000003
【図２】
2005115046.tif 000004
【図３】
2005115046.tif 000005